(57)【特許請求の範囲】
【請求項１】
加入者の個別識別情報を記憶したＩＣカードを装着可能で且つ加入者の個人情報を記憶可能となされた携帯情報端末と、
上記携帯情報端末の加入者の個人情報を、所定のタグ情報と当該タグ情報に関連付けられたデータの属性を示す属性情報と当該属性情報により識別される上記データとからなる共通フォーマットの情報として、上記携帯情報端末の加入者の個別識別情報と関連付けて記憶する情報管理サーバと、
上記情報管理サーバが記憶している上記加入者の個人情報に対して上記個別識別情報を隔離して管理し、上記携帯情報端末から送信されてきた上記加入者の個別識別情報に基づいて、上記情報管理サーバが記憶している個人情報への当該携帯情報端末によるアクセス認証を行う認証センタとを有し、
上記携帯情報端末は、所定の第一のイベントが発生した時には、上記認証センタによるアクセス認証を受けた後、上記情報管理サーバへアクセスし、上記情報管理サーバが記憶している個人情報のタイムスタンプと自端末が記憶している個人情報のタイムスタンプとを比較し、上記情報管理サーバが記憶している個人情報よりも自端末が記憶している個人情報の方が新しい場合には、上記情報管理サーバへ暗号キーを要求して取得し、該自端末が記憶している個人情報を上記暗号キーを用いて暗号化して上記情報管理サーバへアップロードし、上記自端末が記憶している個人情報よりも情報管理サーバが記憶している個人情報の方が新しい場合には、上記情報管理サーバへ暗号キーを要求して取得した後、上記情報管理サーバからダウンロードした個人情報を上記暗号キーを用いて復号化して記憶し、所定の第二のイベント発生が発生した時には、上記認証センタによるアクセス認証を受けた後、上記情報管理サーバへアクセスし、その情報管理サーバへ暗号キーを要求して取得した後、当該情報管理サーバからダウンロードした個人情報を上記暗号キーを用いて暗号化して上記情報管理サーバへアップロードし、
上記情報管理サーバは、上記認証センタによるアクセス認証を受けた上記携帯情報端末からその加入者の個人情報に関するアクセスがなされた時、自サーバが記憶している個人情報のタイムスタンプと上記アクセスしてきた携帯情報端末が記憶している個人情報のタイムスタンプとを比較し、両タイムスタンプが異なる時には上記携帯情報端末へ上記暗号キーを送信し、上記携帯情報端末が記憶している個人情報よりも自サーバが記憶している個人情報の方が新しい場合には、当該自サーバが記憶している個人情報を携帯情報端末専用のフォーマットの情報に変換し、当該携帯情報端末専用のフォーマットとなされた個人情報を上記暗号キーを用いて暗号化した後、上記携帯情報端末へダウンロードし、上記自サーバが記憶している個人情報よりも携帯情報端末が記憶している個人情報の方が新しい場合には、当該携帯情報端末からアップロードした個人情報を上記暗号キーを用いて復号化し、上記共通フォーマットの情報に変換して記憶する
情報共有システム。
【請求項２】
上記認証センタは、上記情報管理サーバの個人情報に対する、上記携帯情報端末以外の情報端末からのアクセス認証をも行う請求項１記載の情報共有システム。
【請求項３】
上記携帯情報端末は、上記第一のイベントとして、ロケーションアップデートのイベントが発生した時に、上記情報管理サーバへのアクセスを行う請求項１記載の情報共有システム。
【請求項４】
上記携帯情報端末は、電源オン後のロケーションアップデートのイベント発生に応じて、上記情報管理サーバへのアクセスを行う請求項３記載の情報共有システム。
【請求項５】
上記携帯情報端末は、上記第二のイベント発生として、自端末が記憶している個人情報が更新されたイベントが発生した時に、上記情報管理サーバへのアクセスを行う請求項１記載の情報共有システム。
【請求項６】
上記情報管理サーバは、上記認証センタが隔離して管理している複数の個別識別情報と関連付けて、一加入者の個人情報を記憶する請求項１記載の情報共有システム。
【請求項７】
上記携帯情報端末は、自己が備える内部記憶領域と上記ＩＣカードが備える記憶領域の少なくとも何れかに上記個人情報を記憶する請求項１記載の情報共有システム。
【請求項８】
上記携帯情報端末は、電源オフ時、若しくは上記ＩＣカードが取り外された時に、上記個人情報を消去する請求項７記載の情報共有システム。
【請求項９】
加入者の個別識別情報を記憶したＩＣカードを装着可能で且つ上記加入者の個人情報を記憶可能となされた携帯情報端末にて所定の第一のイベント若しくは第二のイベントが発生した時に、当該携帯情報端末が、所定のタグ情報と当該タグ情報に関連付けられたデータの属性を示す属性情報と当該属性情報により識別される上記データとからなる共通フォーマットの情報として当該加入者の個人情報をその加入者の個別識別情報と関連付けて記憶する情報管理サーバに対してアクセスするステップと、
上記情報管理サーバが記憶している上記加入者の個人情報に対して上記個別識別情報を隔離して管理し、上記携帯情報端末が上記情報管理サーバへアクセスする際、上記加入者の個別識別情報に基づいて、認証センタが、当該情報管理サーバへのアクセス認証を行うステップと、
上記第一のイベント発生に応じて、上記携帯情報端末が、上記認証センタによるアクセス認証を受けた後に上記情報管理サーバへアクセスした時、上記情報管理サーバが記憶している個人情報のタイムスタンプと自端末が記憶している個人情報のタイムスタンプとを比較し、上記情報管理サーバが記憶している個人情報よりも自端末が記憶している個人情報の方が新しい場合には、上記情報管理サーバへ暗号キーを要求して取得し、当該自端末が記憶している個人情報を上記暗号キーを用いて暗号化して上記情報管理サーバへアップロードし、上記自端末が記憶している個人情報よりも情報管理サーバが記憶している個人情報の方が新しい場合には、上記情報管理サーバへ暗号キーを要求して取得した後、上記情報管理サーバからダウンロードした個人情報を上記暗号キーを用いて復号化して記憶するステップと、
上記第二のイベント発生に応じて、上記携帯情報端末が、上記認証センタによるアクセス認証を受けた後に上記情報管理サーバへアクセスした時、上記情報管理サーバへ暗号キーを要求して取得した後、当該情報管理サーバからダウンロードした個人情報を上記暗号キーを用いて暗号化して上記情報管理サーバへアップロードするステップと、
上記認証センタによるアクセス認証を受けた上記携帯情報端末からその加入者の個人情報に関するアクセスがなされた時、上記情報管理サーバが、上記アクセスしてきた携帯情報端末が記憶している個人情報のタイムスタンプと自サーバが記憶している個人情報のタイムスタンプとを比較し、両タイムスタンプが異なる時には上記携帯情報端末へ上記暗号キーを送信し、上記携帯情報端末が記憶している個人情報よりも自サーバが記憶している個人情報の方が新しい場合には、当該自サーバが記憶している個人情報を携帯情報端末専用のフォーマットの情報に変換し、当該携帯情報端末専用のフォーマットとなされた個人情報を上記暗号キーを用いて暗号化した後、上記携帯情報端末へダウンロードし、上記自サーバが記憶している個人情報よりも携帯情報端末が記憶している個人情報の方が新しい場合には、当該携帯情報端末からアップロードした個人情報を上記暗号キーを用いて復号化し、上記共通フォーマットの情報に変換して記憶するステップと
を有する情報共有方法。
【発明の詳細な説明】
【技術分野】
【０００１】
本発明は、加入者の個人情報をその加入者の携帯情報端末と所定の情報管理サーバとの間で共有する情報共有システム、加入者の個別識別情報を記憶したＩＣカードを装着可能となされた携帯情報端末、加入者の個人情報を管理する情報管理サーバ、加入者の個人情報をその加入者の携帯情報端末と所定の情報管理サーバとの間で共有するための情報共有方法に関する。
【背景技術】
【０００２】
従来より、いわゆるＧＳＭ(Global System for Mobile communications）方式の携帯電話端末では、加入者情報（契約者情報）等が記憶されたＩＣカード（例えばＳＩＭカード：Subscriber Identity Moduleカード）を差し替えることにより、複数の携帯電話端末を同じ加入者の端末として使用可能（つまり同じ電話番号を使用可能）となされている。このように、或る携帯電話端末から別の携帯電話端末へＳＩＭカードを差し替えて使用するような使用態様はＳＩＭローミングとも呼ばれている。また、上記ＳＩＭカードは、その内部にメモリを備えており、当該メモリ内に電話帳等の個人情報を記憶させることも可能となされている。すなわち、ＳＩＭカードに電話帳等の情報が記憶されている場合には、或る携帯電話端末から別の携帯電話端末へＳＩＭカードを差し替えて使用する際に（上記ＳＩＭローミングの際に）、そのＳＩＭカード内の電話帳等の情報を上記別の携帯電話端末でも使用することができる。
【０００３】
また従来、上記ＳＩＭはＧＳＭ方式の携帯電話サービスでのみ使用可能となされていたが、第三世代の標準規格であるＩＭＴ−２０００では、異なる携帯電話方式間でも共通のＳＩＭカードを利用できるようになされている。この場合は上記ＳＩＭと区別して、ＵＳＩＭ（Universal Subscriber Identity Module）或いはＵＩＭ（User Identity Module）などと呼ばれている。以下の説明では、それらＳＩＭ、ＵＳＩＭ、ＵＩＭをまとめてＳＩＭと表記することにする。
【０００４】
なお、例えば特開２００３−４６６３４号の公開特許公報（特許文献１）には、ＳＩＭカードスロット、ＳＩＭカード読み取りユニット、制御ユニット、メモリユニット、ダイアルユニット、ヒューマンマシンインターフェース、アラームユニット及び情報処理ユニットを備え、ＳＩＭカードスロットにＳＩＭカードが装填された場合に、そのＳＩＭカード内に保存されている電子電話帳を取得して使用可能とした電話ダイアルアップ装置が開示されている。
【０００５】
また、特開２００２−２４４９８６号の公開特許公報（特許文献２）には、携帯電話機の機種変更が行われる場合に、機種変更前の携帯電話機のアドレス帳等の情報をサーバへ保存するようにし、そのサーバに保存されたアドレス帳等の情報を機種変更後の携帯電話機へ転送するような通信システム、通信端末及びプログラムが開示されている。
【０００６】
【特許文献１】特開２００３−４６６３４号公報（図１）
【特許文献２】特開２００２−２４４９８６号公報（図１）
【発明の開示】
【発明が解決しようとする課題】
【０００７】
ところで、ＳＩＭカードは上述したように電話帳等の情報を記憶する機能を備えているが、当該ＳＩＭカード内部にはＣＰＵなどの様々な回路が搭載されており、上記情報記憶用メモリとして使用できる領域はさほど多くない。その一方で、個人情報等の記憶させたい情報は、従来の電話番号だけでなく例えば電子メールアドレスや住所など年々増加する傾向にある。このため、上記ＳＩＭカードが情報記憶機能を備えているのにもかかわらず、多くの端末メーカは、携帯電話端末本体内に別途情報記憶用メモリを設け、その情報記憶用メモリに電話番号や電子メールアドレス、その他の各種個人情報を記憶させるようにしている。このように、携帯電話端末本体内のメモリに電話帳等の情報を記憶させるようにした場合、つまり、電話帳等の情報がＳＩＭカード内に保持されていないような場合には、当該ＳＩＭカードが本来有している情報可搬性が損なわれてしまうことになる。すなわち、ＳＩＭカードは、例えばＳＩＭローミングの際等に、カードの内部に記憶している電話帳等の情報を或る携帯電話端末から別の携帯電話端末へ転送できる情報可搬性を備えているが、元々ＳＩＭカード内に情報が保存されていない場合には、当該ＳＩＭカードが備えている情報可搬機能そのものを利用することが出来なくなってしまう。
【０００８】
また、今後の携帯電話サービスにおけるインフラストラクチャとして、番号ポータビリティ（ＭＮＰ：Mobile Number Portability）の実施が予定されており、その結果として、機種選択やオペレータ（携帯電話サービス提供会社）選択の幅が広がり、使用者が頻繁に機種変更を行うようになることは想像に難くない。ここで、上記番号ポータビリティを実現するためにはＳＩＭが必須となるが、例えば前述したように個人情報が携帯電話端末本体にのみ記憶され、ＳＩＭカードには記憶されないような状態になると、機種変更の際のデータ移植を利用者が専門店に赴いて行うか、若しくは、利用者自身がパーソナルコンピュータの専用ソフトウェアを用いて行わなければならなくなり、番号ポータビリティの利便性が損なわれてしまうことになる。一方、販売側でも、データ移植のためのサービスを提供しなければならなくなり、そのことがコストを押し上げる一因ともなり得る。更に、加入者が携帯電話端末を複数所有するような場合には、異なる端末間での電話帳等の情報共有化が必要となるが、前述したようにＳＩＭカードのメモリ容量が少ない現状では、当該情報共有化は不可能である。
【０００９】
本発明は、このような実情に鑑みて提案されたものであり、携帯情報端末に装着可能なＩＣカード（ＳＩＭカード）のメモリ容量が少なく、各種個人情報をＩＣカードに保持出来ない場合であっても、その個人情報の共有化を可能とする情報共有システム、携帯情報端末、情報管理サーバ、及び、情報共有方法を提供することを目的とする。
【課題を解決するための手段】
【００１０】
本発明の情報共有システムは、加入者の個別識別情報を記憶したＩＣカードを装着可能で且つ加入者の個人情報を記憶可能となされた携帯情報端末と、携帯情報端末の加入者の個人情報を、所定のタグ情報と当該タグ情報に関連付けられたデータの属性を示す属性情報と当該属性情報により識別されるデータとからなる共通フォーマットの情報として携帯情報端末の加入者の個別識別情報と関連付けて記憶する情報管理サーバと、情報管理サーバが記憶している加入者の個人情報に対して個別識別情報を隔離して管理し、携帯情報端末から送信されてきた加入者の個別識別情報に基づいて、情報管理サーバが記憶している個人情報への当該携帯情報端末によるアクセス認証を行う認証センタとを有する。そして、携帯情報端末は、所定の第一のイベントが発生した時には、認証センタによるアクセス認証を受けた後、情報管理サーバへアクセスし、情報管理サーバが記憶している個人情報のタイムスタンプと自端末が記憶している個人情報のタイムスタンプとを比較し、情報管理サーバ側の個人情報よりも自端末側の個人情報の方が新しい場合には、情報管理サーバへ暗号キーを要求して取得し、該自端末が記憶している個人情報を、暗号キーを用いて暗号化して情報管理サーバへアップロードし、自端末側の個人情報よりも情報管理サーバ側の個人情報の方が新しい場合には、情報管理サーバへ暗号キーを要求して取得した後、情報管理サーバからダウンロードした個人情報を、暗号キーを用いて復号化して記憶し、所定の第二のイベント発生が発生した時には、認証センタによるアクセス認証を受けた後、情報管理サーバへアクセスし、その情報管理サーバへ暗号キーを要求して取得した後、当該情報管理サーバからダウンロードした個人情報を、暗号キーを用いて暗号化して情報管理サーバへアップロードする。情報管理サーバは、認証センタによるアクセス認証を受けた携帯情報端末からその加入者の個人情報に関するアクセスがなされた時、自サーバが記憶している個人情報のタイムスタンプとその携帯情報端末が記憶している個人情報のタイムスタンプとを比較し、両タイムスタンプが異なる時には携帯情報端末へ暗号キーを送信し、携帯情報端末側の個人情報よりも自サーバ側の個人情報の方が新しい場合には、当該自サーバの個人情報を携帯情報端末専用のフォーマットの情報に変換し、その個人情報を、暗号キーを用いて暗号化した後、携帯情報端末へダウンロードし、自サーバ側の個人情報よりも携帯情報端末側の個人情報の方が新しい場合には、当該携帯情報端末からアップロードした個人情報を、暗号キーを用いて復号化し、共通フォーマットの情報に変換して記憶する。これにより、本発明の情報共有システムは、上述した課題を解決する。
【００１３】
また、本発明の情報共有方法は、加入者の個別識別情報を記憶したＩＣカードを装着可能で且つ加入者の個人情報を記憶可能となされた携帯情報端末にて所定の第一のイベント若しくは第二のイベントが発生した時に、当該携帯情報端末が、所定のタグ情報と当該タグ情報に関連付けられたデータの属性を示す属性情報と当該属性情報により識別されるデータとからなる共通フォーマットの情報として当該加入者の個人情報をその加入者の個別識別情報と関連付けて記憶する情報管理サーバに対してアクセスするステップと、情報管理サーバが記憶している加入者の個人情報に対して個別識別情報を隔離して管理し、携帯情報端末が情報管理サーバへアクセスする際、加入者の個別識別情報に基づいて、認証センタが、当該情報管理サーバへのアクセス認証を行うステップと、第一のイベント発生に応じて、携帯情報端末が、認証センタによるアクセス認証を受けた後に情報管理サーバへアクセスした時、情報管理サーバが記憶している個人情報のタイムスタンプと自端末が記憶している個人情報のタイムスタンプとを比較し、情報管理サーバ側の個人情報よりも自端末側の個人情報の方が新しい場合には、情報管理サーバへ暗号キーを要求して取得し、当該自端末が記憶している個人情報を、暗号キーを用いて暗号化して情報管理サーバへアップロードし、自端末側の個人情報よりも情報管理サーバ側の個人情報の方が新しい場合には、情報管理サーバへ暗号キーを要求して取得した後、情報管理サーバからダウンロードした個人情報を、暗号キーを用いて復号化して記憶するステップと、第二のイベント発生に応じて、携帯情報端末が、認証センタによるアクセス認証を受けた後に情報管理サーバへアクセスした時、情報管理サーバへ暗号キーを要求して取得した後、当該情報管理サーバからダウンロードした個人情報を、暗号キーを用いて暗号化して情報管理サーバへアップロードするステップと、認証センタによるアクセス認証を受けた携帯情報端末からその加入者の個人情報に関するアクセスがなされた時、情報管理サーバが、アクセスしてきた携帯情報端末側の個人情報のタイムスタンプと自サーバ側の個人情報のタイムスタンプとを比較し、両タイムスタンプが異なる時には携帯情報端末へ暗号キーを送信し、携帯情報端末側の個人情報よりも自サーバ側の個人情報の方が新しい場合には、当該自サーバ側の個人情報を携帯情報端末専用のフォーマットの情報に変換し、その個人情報を、暗号キーを用いて暗号化した後、携帯情報端末へダウンロードし、自サーバ側の個人情報よりも携帯情報端末側の個人情報の方が新しい場合には、当該携帯情報端末からアップロードした個人情報を、暗号キーを用いて復号化し、共通フォーマットの情報に変換して記憶するステップとを有する。これにより、本発明の情報共有方法は、上述した課題を解決する。
【００１４】
すなわち、本発明によれば、携帯情報端末と情報管理サーバの両者において、加入者の個別識別情報に関連付けられた個人情報を記憶可能となされており、また、携帯情報端末と情報管理サーバの両者において、互いに相手方が記憶している個人情報に基づいて、その個人情報のダウンロード若しくはアップロードが必要か否かを判断し、必要であるときにはそれらダウンロード若しくはアップロードを実行することにより、携帯情報端末と情報管理サーバの両者において、常に同じ個人情報を保持可能としている。
【発明の効果】
【００１５】
本発明においては、携帯情報端末と情報管理サーバの両者において常に同じ個人情報を記憶可能となされているため、例えば、携帯情報端末に装着可能なＩＣカード（ＳＩＭカード）のメモリ容量が少なく、各種個人情報をＩＣカードに保持出来ない場合であっても、その個人情報の共有化が可能である。
【発明を実施するための最良の形態】
【００１６】
以下、図面を参照しながら、本発明の情報共有システム、携帯情報端末、情報管理サーバ、及び、情報共有方法の一実施形態について説明する。
【００１７】
なお、本実施形態では、本発明の携帯情報端末の一例として、携帯電話端末を挙げているが、勿論、ここで説明する内容はあくまで一例であり、本発明はこの例に限定されないことは言うまでもない。
【００１８】
〔情報共有システムの概要〕
図１には、本発明の情報共有システムの全体構成図を示す。
【００１９】
本発明実施形態の情報共有システムでは、携帯電話端末が記憶する電話帳や予定表等の個人情報を、ネットワーク上の情報管理サーバに置くようにし、例えば携帯電話端末の機種変更を行った場合には当該機種変更前の端末で使用していた個人情報を、上記情報管理サーバから機種変更後の端末へ転送可能とし、また、例えば一人のユーザ（加入者）が複数の携帯電話端末を所有している場合には、上記情報管理サーバ上の個人情報をそれら複数の端末間で共有可能となされている。本実施形態の情報共有システムでは、情報管理サーバを介して端末間で個人情報を共有できるようになされているため、ユーザの利便性を高めることができ、また、個人情報が情報管理サーバに置かれているため、例えばユーザが携帯電話端末を紛失したり盗難されたことで新しい端末を購入したり、携帯電話端末を修理に出して代替えの端末を借りたような場合であっても、それら新しい携帯電話端末において遅滞なく情報管理サーバ上の個人情報を使用することができる。
【００２０】
ここで、本実施形態の情報共有システムでは、携帯電話端末と情報管理サーバとの間における上記個人情報の整合性、つまり、つまり携帯電話端末と情報管理サーバ間での個人情報の同期については、例えばロケーションアップデート或いは個人情報の内容変更などの所定のイベントが発生した時に取るようになされている。
【００２１】
また、情報管理サーバは、インターネットにも接続されており、したがってユーザは、例えばパーソナルコンピュータ等を介して上記個人情報を変更等する管理を行うことも可能となされている。
【００２２】
〔情報共有システムの構成〕
以下、図１に示すシステム構成について詳細に説明する。なお、この図１は、携帯電話端末及びその端末に装填されるＳＩＭカードと、ネットワークオペレータと、インターネットとの相互接続の概念図を示している。
【００２３】
図１において、例えば携帯電話端末３から携帯電話端末４へ発呼を行う場合、上記端末３のユーザは、上記端末４の電話番号を当該端末３にて入力してダイヤル発信を行う。なお、上記ダイヤル発信は、携帯電話端末３の内部ソフトウェアにより自動的に行われても良い。
【００２４】
ここで、電話帳に登録されている電話番号の選択による発呼を行う場合、ユーザは、上記携帯電話端末３本体に記憶されている電話帳の中から、若しくは、当該端末３に装填されているＳＩＭカード３ａに記憶されている電話帳の中から、相手先（この場合は携帯電話端末４）の電話番号を選択することになる。なおこの時、端末本体内の電話帳とＳＩＭカード内の電話帳の何れを用いるかについては、ユーザが意識して何れかの電話帳を選択しても良いし、ユーザの意識によらず端末側が自動的に何れかの電話帳を選択しても良い。
【００２５】
上述のように携帯電話端末４へのダイヤル発信を行った携帯電話端末３は、エアインターフェース５を通じて、最寄りの携帯電話基地局１に接続する。そして、携帯電話端末４がエアインターフェース７を通じて携帯電話基地局２に位置登録されているとした場合、上記携帯電話端末３と携帯電話端末４とは、上記デジタルインターフェース６を通じて互いに接続されている携帯電話基地局１と携帯電話基地局２を介して回線接続されることになる。これにより、携帯電話端末３のユーザと携帯電話端末４のユーザは、互いに通話可能となる。
【００２６】
また、上記ディジタルインターフェース６は、ＰＳＴＮ（Public Switched Telephone Networks）局８とも接続されている。また、ＰＳＴＮ局８には、一般固定電話機が有線により接続されている。したがって、一般固定電話機と上記携帯電話端末３或いは携帯電話端末４との間の接続は、上記ディジタルインターフェース６とＰＳＴＮ局８を通じて行われることになる。
【００２７】
また、オーセンティケーションセンタ（認証センタ：Authentication Center）９は、ディジタルインターフェース６を介して、携帯電話基地局１，２に接続されている。そして、例えば、携帯電話端末３が携帯電話基地局１に接続したような場合、オーセンティケーションセンタ９は、携帯電話端末３のＳＩＭカード３ａ内に記憶されている加入者識別のためのＩＭＳＩ（International Mpbile Subscriber Identity）を、携帯電話基地局１経由で受け取り、当該ＩＭＳＩを元に、その携帯電話端末３が正当な使用者（加入者）の端末であるかどうかの認証を行い、正当な使用者であると判断した場合にのみ、通話等のアクセスを許可する。
【００２８】
ここで、本発明実施形態では、当該オーセンティケーションセンタ９内に、上述した携帯電話端末やＳＩＭカードに記憶された電話帳や予定表等の個人情報を記憶する情報管理サーバを構築し、各使用者が各々の個人情報を管理できるようになされている。
【００２９】
また、オーセンティケーションセンタ９は、ディジタルインターフェース６を介してインターネットゲートウェイ１１にも接続されており、インターネット１２を介して接続を求めてきたパーソナルコンピュータ１３についての認証も行う。そして、オーセンティケーションセンタ９は、当該パーソナルコンピュータ１３からの接続要求が、正当な加入者（携帯電話端末の正当な加入者）からのものであると認証できた場合に、上記情報管理サーバに蓄積されている個人情報（その加入者の個人情報）へのアクセスを許可する。なお、アクセスが許可された場合、パーソナルコンピュータ１３は、個人情報の閲覧、個人情報の更新、個人情報のダウンロード及びアップロードの何れも可能となる。勿論、オーセンティケーションセンタ９の情報管理サーバに記憶されている個人情報へのアクセスは、携帯電話基地局を介して携帯電話端末からも可能である。なお、ここでは、加入者の識別のためにＳＩＭカード中のＩＭＳＩを利用する例について述べたが、電話番号を加入者の識別に用いることも可能である。
【００３０】
このようにオーセンティケーションセンタ９の情報管理サーバに記憶されている個人情報へのアクセスは、携帯電話端末の正当な加入者であれば、インターネットゲートウェイ１１及びディジタルインターフェース６を介したインターネット経由や、携帯電話基地局及びディジタルインターフェース６を介した携帯電話のネットワーク経由により可能となされている。すなわち、本実施形態の情報共有システムにおいては、ユーザが国内，国外の何れに居るかを問わず、認証を経た上で自由にアクセスすることが可能なネットワークインフラストラクチャが構築されている。
【００３１】
〔携帯電話端末の構成〕
図２には、本実施形態にかかるＳＩＭカードを装填可能となされた携帯電話端末の概略的な内部構成を示す。
【００３２】
先ず受信側の構成から説明する。
【００３３】
アンテナ２１にて受信された信号は、セレクタ２２を通り、受信ＲＦ部２３へ導かれる。受信ＲＦ部２３では、後段の周波数変換に必要なレベルまで受信信号を増幅し、ミキサ２４へ出力する。一方、局部発振器３１からは、上記受信信号の周波数を中間周波数へ変換するために必要な局部発振信号がミキサ２４へ送られる。ミキサ２４では、受信ＲＦ部２３からの受信信号に局部発振信号がミキシングされることで、上記受信信号が中間周波数の信号に変換される。
【００３４】
このようにして中間周波数に変換された信号は、受信ＩＦ部２５へ入力され、ここでＡ／Ｄ変換処理され、一定のビットレートのサンプル信号となされる。
【００３５】
このディジタルデータは、次の受信復調部２６へ入力され、ここで誤り訂正処理等が施され、音声データや通信データが復元される。
【００３６】
音声データは、音声復号部２７に入力され、伸長などの処理が施されてビットレート変換され、さらにＤ／Ａ変換処理によりアナログ信号へ変換される。
【００３７】
このアナログ音声信号は、スピーカアンプ２８により、後段のスピーカ２９を駆動するために必要な電力に増幅され、スピーカ２９へ送られる。これにより、スピーカ２９からは、音声が空気中へ放音される。
【００３８】
一方、上記受信復調部２６にて復元された通信データは、受信復調部２６から通信データ復号部３０へ入力される。
【００３９】
当該通信データ復号部３０では、上記復元された通信データの伸長、誤り訂正処理などが行われる。そして、この通信データ復号部３０にて復号されたデータは、ＣＰＵ４４へ送られる。
【００４０】
次に送信側の構成について説明する。
【００４１】
音声送信の場合、マイクロホン３８により使用者の声（音声）が集音される。当該マイクロホン３８にて集音された音声信号は、マイクロホンアンプ３７にて必要なレベルまで増幅される。当該増幅された音声信号は、音声符号化部３６において、Ａ／Ｄ変換処理によりディジタル信号に変換され、さらに圧縮等の処理が行われてビットレートの変換が行われる。
【００４２】
そして、上記音声データは、送信変調部３５へ送られる。
【００４３】
一方、データ送信の場合、例えばＣＰＵ４４からの通信データは、通信データ符号化部３９にて圧縮、或いは誤り訂正用の冗長データなどが付加された後、送信変調部３５へ送られる。
【００４４】
上記送信変調部３５では、音声データ或いは通信データが変調符号化された後、Ｄ／Ａ変換され、送信信号として送信ＩＦ部３４へ送られる。
【００４５】
送信ＩＦ部３４では、上記送信信号の周波数が中間周波数へ変換され、さらに必要なレベルまで増幅された後、ミキサ３３へ送られる。ミキサ３３では、上記送信ＩＦ部３４からの送信信号に、局部発振器３１からの局部発振信号をミキシングする。これにより、上記中間周波数の信号は、送信周波数の送信信号に変換される。そして、当該送信信号は、送信ＲＦ部３２へ入力される。
【００４６】
上記送信ＲＦ部３２にて電力増幅された信号は、セレクタ２２を経由してアンテナ２１から送信される。
【００４７】
次に共通部分の構成について説明する。
【００４８】
携帯電話端末をユーザが制御するためのキーボード５１や、ユーザに対して視覚により様々な情報を与えるためのディスプレイ５０、携帯電話端末と外部装置を接続するためのデータＩ／Ｆ（インターフェース）５２、ＳＩＭカード５４が着脱可能に接続されるＳＩＭ  Ｉ／Ｆ５３は、Ｉ／Ｏ（インプット／アウトプット）部４０及びＣＰＵバス４５を経由して、ＣＰＵ（中央処理装置）４４に接続されている。
【００４９】
上記ＳＩＭカード５４には、前述したように加入者情報であるＩＭＳＩ、オペレータとの間のサービス契約内容、電話帳や予定表等の個人情報、暗号アルゴリズム及び暗号キー等が記憶されており、それらの情報は携帯電話端末の利用上の様々な局面で必要に応じて使用される。
【００５０】
タイマーＲＴＣ（Real Time Clock）４６は、現在時刻等の時間情報をＣＰＵバス４５を経由してＣＰＵ４４へ出力する。このタイマーＲＴＣ４６からの時間情報は、データ等のタイムスタンプにも供される。なお、本実施形態の携帯電話端末は、ネットワーク側の基準時計と同期を取ることが可能となされており、ネットワーク側との間で時刻のズレは無いものとなされている。
【００５１】
ＲＯＭ４１は、不揮発性メモリであり、ＣＰＵ４４が各種の処理を実行する際のプログラム等が全て記憶されている。
【００５２】
ＲＡＭ４２は、ＣＰＵ４４が或るデータの処理を行う場合に、一時的に処理の中間で発生するデータを記憶するためのメモリである。
【００５３】
ＥＥＰＲＯＭ４３は、電気的書き込み消去可能なメモリであり、ユーザがキーボード５１を経由して入力し、当該携帯電話端末に個人的な設定を行った時の設定条件等を記憶しておくためのメモリである。また、このＥＥＰＲＯＭ４３には、ユーザ（加入者、使用者）の個人情報に関連した記憶領域も設けられている。このＥＥＰＲＯＭ４３に情報を記憶しておくことにより、ユーザは、携帯電話端末の電源オン／オフに伴って毎回条件設定をする必要が無くなる。
【００５４】
〔ＩＭＳＩの基本的な構造〕
図３には、ＳＩＭカード５４に記憶されているＩＭＳＩ７０の基本的なデータ構造を示す。なお、ＳＩＭカード５４に記憶されているＩＭＳＩ７０は、ユーザが加入した場合に当該ユーザ（つまり加入者）に付与される個別の識別子であるため、同じＩＭＳＩが複数存在することはあり得ない。
【００５５】
この図３において、ＩＭＳＩ７０は、ＭＣＣ（Mobile Cuntry Code）７１とＭＮＣ（Mobile Network Code）７２とＭＳＩＮ（Mobile Subscriber Identification Number）７３の三つの部分で構成されている。ＭＮＣ７１は国別（地域別、国土が広い国ではこのコードを複数有する場合もある）コードであり、三桁の数字で表されている。ＭＮＣ７２は、その国内におけるオペレータ識別コードであり、通常二桁の数字で表されている。最後のＭＳＩＮ７３は、加入者固有の番号となっており、九桁から十桁の数字で表されている。なお、ＭＳＩＮ７３の番号は、電話番号等とは直接関連はない。
【００５６】
〔一般的なＩＭＳＩと加入者情報との関連〕
図４には、一般的な従来のＩＭＳＩ７０と加入者情報との関連を表している。
【００５７】
一般的な従来のＩＭＳＩ７０は、図３に示したような構造を有しており、この図４の例では、ＭＣＣ７１が「００１」、ＭＮＣ７２が「０１」、ＭＳＩＮ７３が「０１２３４５６７８９」となされている例を挙げている。
【００５８】
ユーザは、オペレータに加入すると、その契約内容により、基本的に電話番号（Telephone No.）７４とセキュリティキーＫｉ（Security Ki）７７が付与され、ＩＭＳＩ７０との関連付けがなされる。また、ユーザの希望により、データ番号（Data No.）７５やファックス番号（Fax No.）７６がＩＭＳＩ７０に関連付けて付与される。これら関連付けされたデータは、基本的に、図１のオーセンティケーションセンタ９に記憶されている。なお、当該オーセンティケーションセンタ９は、通常は各オペレータにより設置されており、上記記憶されているデータは必要に応じて参照可能となされている。
【００５９】
そして、本実施形態の場合、上記オーセンティケーションセンタ９内に、加入者の電話帳や予定表等の個人情報を記憶する情報管理サーバが設置されている。
【００６０】
〔情報管理サーバに記憶される個人情報の構造〕
以下、本実施形態の情報管理サーバに記憶される個人情報について図５を用いて説明する。
【００６１】
なお、図５の構造は、基本的には図４に示した構造に個人情報関連を付加したものであり、図４と重複する部分についての説明は省略する。また、図５の例では、個人情報として電話帳（Telephone Book）を例に挙げているが、他の例えば予定表などであっても同様であることは言うまでもない。
【００６２】
本実施形態の情報管理サーバには、図５に示すように、加入者の電話帳用（個人情報用）の記憶領域として、加入者のＩＭＳＩ７０に対応付けられた電話帳フォルダ（Telephone Book Folder）７８が用意されており、その電話帳フォルダ７８内に加入者の電話帳の情報が共通フォーマットとして記憶されている。
【００６３】
上記電話帳フォルダ７８は、タグ８０と、各タグ８０に関する属性８１及びデータ８２とにより構成されている。
【００６４】
上記各タグ８０は、それぞれ例えば人の氏名やその他名称などの適当な識別を提供する。なお、図５の例は、電話帳フォルダ７８内に５００件分の氏名や名称等が登録された例、つまりタグとしてＴａｇ１〜Ｔａｇ５００の５００件分が存在している例を挙げている。
【００６５】
属性８１は、タグ８０に関連付けられたデータ８２がどのようなものかを示す。当該属性８１により、例えば、データ８２が固定電話番号や携帯電話番号、メールアドレスなどであることが識別される。
【００６６】
データ８２は、属性８１で識別された情報が格納される領域である。
【００６７】
一つのタグ８０については、属性８１とデータ８２の組み合わせが複数存在可能である。なお、図５では、一つのタグにつき１０個の属性８１及びデータ８２の組み合わせが関連付けられている例を挙げている。
【００６８】
また、本実施形態において、例えば同一の加入者が複数の携帯電話端末を所持している場合、情報管理サーバには、図６に示すように、それら各携帯電話端末の個人情報が共有情報として記憶される。なお、この場合も、個人情報として電話帳を例に挙げる。
【００６９】
例えば、同一の加入者が例えば二つのＳＩＭカードを所有しており、図６に示すように、その一方のＳＩＭカードに記憶されているＩＭＳＩをＩＭＳＩ７０ａ、他方のＳＩＭカードに記憶されているＩＭＳＩをＩＭＳＩ７０ｂとする。なお、一方のＩＭＳＩ７０ａには、電話番号７４ａとデータ番号７５ａ、ファックス番号７６ａ及びセキュリティキーＫｉ７７ａが付与されており、上記ＩＭＳＩ７０ｂには電話番号７４ｂとセキュリティキーＫｉ７７ｂが付与されているとする。
【００７０】
この例のように、同一の加入者が二つのＳＩＭカードを所有している場合、情報管理サーバには、その加入者のＩＭＳＩ７０ａ及びＩＭＳＩ７０ｂに共通に対応付けられた電話帳フォルダ７８が用意され、その電話帳フォルダ７８内に上記ＩＭＳＩ７０ａ及びＩＭＳＩ７０ｂに対応付けられた電話帳の情報が共通フォーマットにて記憶される。なお、ＩＭＳＩ７０ａとＩＭＳＩ７０ｂにおいて、電話帳以外の情報については互いに隔離されている。また、図６の例では、二つのＩＭＳＩを例に挙げたが、二つ以上のＩＭＳＩであっても同様に関連付けが可能であることは言うまでもない。
【００７１】
〔個人情報交換時の情報漏洩防止策〕
上述のように、本実施形態では、情報管理サーバと携帯電話端末との間で個人情報の交換が可能となされているため、当該情報交換時における個人情報の漏洩防止策として、既存のＳＩＭ内のデータ暗号アルゴリズムを使用した情報暗号化を行うようにもなされている。
【００７２】
以下、ＳＩＭ内の暗号アルゴリズムを用いた本実施形態における情報漏洩防止について、図７及び図８を参照しながら説明する。
【００７３】
本実施形態では、携帯電話端末がネットワークへアクセスする時に使用される暗号キー（通常、Ｋｃと表記される暗号キー）を用い、個人情報を暗号化することで情報漏洩の防止を行う。なお、ここで説明する暗号アルゴリズムは一例であり、本実施形態ではその他の適切な暗号アルゴリズムを用いても良い。
【００７４】
本実施形態において、携帯電話端末は、例えばロケーションアップデートの際、或いは端末内部やＳＩＭカード９０に記憶している個人情報の内容が変更された時に、通信に使用されるＲＡＮＤ（疑似乱数）とは別に、データ保護用のＲＡＮＤの発行要求をネットワーク側（つまり図７のオーセンティケーションセンタ９１側）へ送る。
【００７５】
上記データ保護用ＲＡＮＤの発行要求を受けたオーセンティケーションセンタ９１は、その発行要求を行ってきた携帯電話端末が正当な加入者端末であることの認証を行い、その認証の結果、正当な加入者端末であることを確認できた時に、図７に示すように、上記データ保護用ＲＡＮＤを生成して携帯電話端末へ返送する。
【００７６】
この時の携帯電話端末は、上記オーセンティケーションセンタ９１から送られてきたデータ保護用ＲＡＮＤを、ＳＩＭカード９０内に搭載されているＫｃジェネレーションアルゴリズムの二つあるパラメータのうちの一つとして取得する。また、上記二つのパラメータのうち他方のパラメータは、予めオペレータがＳＩＭを発行する際にＩＭＳＩと関連付けされてＳＩＭ内部に記憶されている前記セキュリティキーＫｉとなされる。なお、ＳＩＭカード内におけるパラメータＫｉの記憶領域は、外部からはアクセスできない領域となされている。
【００７７】
また、オーセンティケーションセンタ９１の情報管理サーバには、前述の図４〜図６で説明したように、各加入者のパラメータＫｉが、各々の加入者のＩＭＳＩと関連付けされて記憶されている。
【００７８】
その後、個人情報のデータアップロード又はダウンロードが行われる場合において、データ送信側では、図８に示すように、上記データ保護用ＲＡＮＤとセキュリティキーＫｉを用いて計算した暗号キーＫｃを一方のパラメータとし、上記アップロード又はダウンロードにおける例えばデータ送出順を表すデータ順序番号を他方のパラメータとして、暗号化アルゴリズム９２により新たな暗号キーを生成し、その暗号キーを用いて、暗号ロジック９２により、上記送出すべき平文データ（個人情報のデータ）を暗号化する。そして、当該暗号化されたデータは、通信チャネルを用いて受信側へ送られる。
【００７９】
一方、個人情報のデータアップロード又はダウンロードが行われる場合において、データ受信側では、図８に示すように、上記データ保護用ＲＡＮＤとセキュリティキーＫｉを用いて計算した暗号キーＫｃを一方のパラメータとし、上記データ送出順を表すデータ順序番号を他方のパラメータとして、暗号化アルゴリズム９４により新たな暗号キーを生成し、その暗号キーを用いて、復号ロジック９５により、上記送信側からの上記暗号化されているデータを復号（暗号解読）する。これにより、上記送信側が送った平文のデータ（個人情報のデータ）が復元される。
【００８０】
本実施形態によれば、以上のような暗号化及び復号化の処理を行うことにより、携帯電話端末と情報管理サーバとの間で個人情報を安全に交換することができる。
【００８１】
なお、図１に示したパーソナルコンピュータ１３とオーセンティケーションセンタ９との間で個人情報の送受信を行う場合の情報漏洩防止策としては、一般的な例えばＳＳＬ（Secure Sockets Layer）などのデータ暗号化処理を用いれば良いため、ここでは言及しないこととする。
【００８２】
〔携帯電話端末側での処理フロー〕
図９には、本実施形態の携帯電話端末にて行われる処理のフローチャートを示す。なお、この図９に示すフローチャートの処理は、ＲＯＭ４１に記憶されているプログラムに基づいてＣＰＵ４４が演算及び各部の制御を行うことにより実行される。
【００８３】
なお、本実施形態において、この図９の処理は、前提として、個人情報へのアクセスによる更新のイベントが発生した時、或いは、携帯電話端末の電源立ち上げ時におけるロケーションアップデート等のイベントが発生した時にコールされるものとする。
【００８４】
図９において、先ず電源立ち上げが行われると、ＣＰＵ４４は、ステップＳ２の処理として、最初にロケーションアップデートのイベントが発生したかどうかを判断する。そして、ＣＰＵ４４は、当該ステップＳ２にてロケーションアップデートのイベントが発生したと判断した場合にはステップＳ３へ処理を進め、一方、ロケーションアップデートのイベントが発生していないと判断した場合には後述するステップＳ１０へ処理を進める。
【００８５】
上記ステップＳ２にてロケーションアップデートのイベントが発生したと判断してステップＳ３へ処理を進めると、ＣＰＵ４４は、図１のオーセンティケーションセンタ９の情報管理サーバへアクセスし、自端末が記憶している個人情報のタイムスタンプと、その情報管理サーバに記憶されている自己の個人情報のタイムスタンプとを比較するタイムスタンプチェック処理を行い、次いで、ステップＳ４の処理として、上記タイムスタンプチェック処理において両タイムスタンプが同一かどうかの判断を行う。そして、ＣＰＵ４４は、ステップＳ４にて両タイムスタンプが同一であると判断した場合には、何もせずに、この図９のフローチャートの処理を終了し、一方、両タイムスタンプが同一でないと判断した場合にはステップＳ５へ処理を進める。
【００８６】
ステップＳ５の処理に進むと、ＣＰＵ４４は、オーセンティケーションセンタ９（実際には情報管理サーバ）に対して、データ保護用のＲＡＮＤの発行要求処理を行う。
【００８７】
次に、ＣＰＵ４４は、ステップＳ６の処理として、自端末が記憶している個人情報と、上記情報管理サーバに記憶されている自己の個人情報のうち、何れのデータが新しのかを判断する。そして、ＣＰＵ４４は、このステップＳ６にて自端末が記憶している個人情報の方が新しいと判断した場合には後述するステップＳ１２へ処理を進め、一方、情報管理サーバに記憶されている自己の個人情報の方が新しいと判断した場合にはステップＳ７へ処理を進める。
【００８８】
上記ステップＳ６にて情報管理サーバ側の個人情報の方が新しいと判断してステップＳ７の処理に進むと、ＣＰＵ４４は、上記情報管理サーバにて暗号化された個人情報をダウンロードする。
【００８９】
次いで、ＣＰＵ４４は、先に取得したＲＡＮＤ等から算出した暗号キーを用い、ステップＳ８の処理として、上記ダウンロードした暗号化データを復号するためのデータ解読を行い、平文のデータつまり個人情報を復元する。
【００９０】
そして、ＣＰＵ４４は、ステップＳ９の処理として、上記復元した個人情報を内部の記憶領域（ＥＥＰＲＯＭ４３等）へ格納する処理を行った後、当該図９のフローチャートの処理を終了する。
【００９１】
またこの図９のフローチャートにおいて、上記ステップＳ２にてロケーションアップデートのイベントが発生していないと判断してステップＳ１０の処理へ進んだ場合、ＣＰＵ４４は、自端末においてユーザが個人情報の更新を行ったか否かの判断を行う。そして、ＣＰＵ４４は、自端末にてユーザによる個人情報の更新が行われていないと判断した場合には、何もせずに、この図９のフローチャートの処理を終了し、一方、自端末にてユーザによる個人情報の更新が行われたと判断した場合にはステップＳ１１へ処理を進める。
【００９２】
ステップＳ１１の処理に進むと、ＣＰＵ４４は、オーセンティケーションセンタ９（実際には情報管理サーバ）に対して、データ保護用のＲＡＮＤの発行要求処理を行う。
【００９３】
次に、ＣＰＵ４４は、ステップＳ１２の処理として、上記ステップＳ１１にて情報管理サーバから取得したＲＡＮＤを用いて、上記自端末が記憶している個人情報を暗号化する。そして、ＣＰＵ４４は、ステップＳ１３の処理として、その暗号化した個人情報のデータを情報管理サーバへアップロードした後、当該図９のフローチャートの処理を終了する。
【００９４】
またこの図９のフローチャートにおいて、上記ステップＳ６にて自端末が記憶している個人情報の方が新しいと判断してステップＳ１２の処理に進んだ場合、ＣＰＵ４４は、上記ステップＳ５にて情報管理サーバから取得したＲＡＮＤを用いて、上記自端末が記憶している個人情報を暗号化し、次に、ステップＳ１３の処理として、その暗号化した個人情報のデータを情報管理サーバへアップロードした後、当該図９のフローチャートの処理を終了する。
【００９５】
なお、本実施形態において、携帯電話端末の電源がオフされたりＳＩＭカードが外されたりした場合、当該端末内に記憶した電話帳等のデータを自動的に消去することも可能であり、逆に、消去せずにそのまま残しておくことも可能である。上記データを消去する場合には、当該情報が何らかの手段により盗み出されてしまう虞が無くなり、安全性を高めることができる。一方、消去せずにそのまま残しておくようにした場合には、端末の電源オン後やＳＩＭカード装填時に情報管理サーバとの間で行われる通信量を減らすことができるようになる。
【００９６】
また、携帯電話端末内に記憶しておく個人情報は、暗号化されたものであっても良い。
【００９７】
また、本実施形態において、携帯電話端末から情報管理サーバへアクセスするタイミングは、上述したような個人情報の更新イベント発生や、携帯電話端末の電源立ち上げ時のロケーションアップデートにイベント発生の他にも、任意若しくは予め設定された期間の経過イベントが発生した場合であっても良い。
【００９８】
〔情報管理サーバ側での処理フロー〕
図１０には、本実施形態の情報管理サーバ側にて行われる処理のフローチャートを示す。なお、この図１０に示すフローチャートの処理は、情報管理サーバ内のＣＰＵが演算及び各部の制御を行うことにより実行される。
【００９９】
なお、本実施形態において、この図１０のフローチャートは、携帯電話端末から個人情報に関する何らかのアクセスがあった場合に呼び出される処理例を想定している。
【０１００】
図１０において、携帯電話端末から個人情報に関するアクセスがあり、そのアクセスが正当な加入者端末からのものであると認証した場合、情報管理サーバは、先ずステップＳ２２の処理として、自サーバ内に記憶している個人情報のタイムスタンプと、上記アクセスしてきた携帯電話端末に記憶されている個人情報のタイムスタンプとを比較するタイムスタンプチェック処理を行い、次いで、ステップＳ２３の処理として、上記タイムスタンプチェック処理において両タイムスタンプが同一かどうかの判断を行う。そして、情報管理サーバは、ステップＳ２３にて両タイムスタンプが同一であると判断した場合には、ステップＳ３０へ処理を進め、携帯電話端末に端末に対して個人情報が同一である旨のメッセージを送信した後、この図１０のフローチャートの処理を終了し、一方、両タイムスタンプが同一でないと判断した場合にはステップＳ２４へ処理を進める。
【０１０１】
ステップＳ２４の処理に進むと、情報管理サーバは、携帯電話端末からデータ保護用ＲＡＮＤの発行要求がなされるのを待って当該ＲＡＮＤの発行処理を行う。
【０１０２】
次に、情報管理サーバは、ステップＳ２５の処理として、携帯電話端末が記憶している個人情報と、自サーバが記憶している自己の個人情報のうち、何れのデータが新しのかを判断する。そして、情報管理サーバは、このステップＳ２５にて携帯電話端末が記憶している個人情報の方が新しいと判断した場合には後述するステップＳ３１へ処理を進め、一方、自サーバが記憶している個人情報の方が新しいと判断した場合にはステップＳ２６へ処理を進める。
【０１０３】
ステップＳ２６の処理に進むと、情報管理サーバは、個人情報の格納領域から上記携帯電話端末のＳＩＭのＩＭＳＩに対応付けられている個人情報を読み出す。
【０１０４】
次に、上記読み出された個人情報は共通フォーマットのデータとなされているため、情報管理サーバは、ステップＳ２７の処理として当該共有フォーマットのデータを上記携帯電話端末専用のフォーマット（その機種依存のフォーマット）に変換する。
【０１０５】
そして、情報管理サーバは、ステップＳ２８の処理として、上記専用フォーマットに変換された個人情報のデータを暗号化し、次いでステップＳ２９の処理として、当該暗号データを携帯電話端末へ送信（ダウンロード）した後、当該図１０のフローチャートの処理を終了する。
【０１０６】
またこの図１０のフローチャートにおいて、上記ステップＳ２５にて携帯電話端末が記憶している個人情報の方が新しいと判断してステップＳ３１の処理に進んだ場合、情報管理サーバは、携帯電話端末から個人情報のデータアップロードを行う。
【０１０７】
ここで、当該データアップロードにより取得したデータは暗号化されたデータとなされているため、情報管理サーバは、ステップＳ３２の処理として、その暗号データを平文（個人情報）へ戻すための暗号解読処理を行う。
【０１０８】
次に、当該暗号解読された個人情報は端末専用フォーマット（その機種依存フォーマット）のデータとなされているため、情報管理サーバは、ステップＳ３３の処理として、その端末専用フォーマットのデータを共通フォーマットのデータへ変換する。
【０１０９】
その後、情報管理サーバは、ステップＳ３４の処理として、上記共通フォーマットの個人情報を内部の個人情報格納用の領域に、その端末のＳＩＭのＩＭＳＩと対応付けて格納した後、当該図１０のフローチャートの処理を終了する。
【０１１０】
なお、ここでは携帯電話端末と情報管理サーバとの間のやり取りを説明したが、インターネット経由でパーソナルコンピュータ等により個人情報の変更等がなされた場合にも、当該図１０のルーチンを適用することができる。
【０１１１】
〔まとめ〕
以上説明したように、本実施形態によれば、ネットワーク側にある加入者識別情報であるＩＭＳＩに関連付けて、その加入者の電話帳、予定表等の個人情報を管理することにより、携帯電話端末の機種や、契約オペレータ、同一加入者による複数契約等の条件に依存しないで共通して当該個人情報を管理でき、携帯電話端末の使用者にとって利便性の極めて高いシステムが構築されている。
【０１１２】
すなわち本実施形態によれば、ネットワーク側（オーセンティケーションセンタ）により加入者の識別が正常に行われ、正当な加入者であることが認証された場合、その加入者は、何れの携帯電話端末を使用しているかを問わずに、自己の電話帳等の個人情報を利用及び管理することが可能となる。
【０１１３】
また、本実施形態によれば、各オペレータの携帯電話基地局経由、ＰＳＴＮ局経由、インターネットゲートウェイ経由など、様々な通信路を経由して個人情報管理用の情報管理サーバへ接続可能となされており、したがって、例えばいわゆるＳＩＭローミングによる国内外からの通信、異なる端末からの通信、固定電話からの通信、インターネットからの通信の何れであっても、個人情報の利用と管理が可能となっている。
【０１１４】
また、本実施形態においては、携帯電話端末に電話帳等の個人情報のダウンロードをするのは、例えば電源オン時のロケーションアップデートや個人情報の内容変更があった場合（所定のイベントの発生があった場合）のみで良く、通常は個人情報のデータが端末本体に記憶されているため、電話番号等の個人情報の検索等は従前同様に端末本体の機能の一つとして実行することができる。
【０１１５】
また、本実施形態によれば、加入者が複数の携帯電話端末を所有している場合であっても、電話帳等の個人情報と、ＳＩＭ内のＩＭＳＩや電話番号等の加入者識別情報とを関連付けて情報管理サーバ内に登録可能となされているため、それら複数の携帯電話端末で同じ個人情報を共有でき、したがって、電話帳や予定表等の情報を各携帯電話端末間で同期させておく必要がない。
【０１１６】
また、本実施形態のシステムの場合、情報管理サーバは、オペレータに関係なく構築可能となされているため、加入者はオペレータを代えても自己の個人情報をそのまま使用することができる。
【０１１７】
また、本実施形態によれば、ユーザは、インターネット経由であっても、加入者認証を経た上で情報管理サーバへアクセス可能であるため、パーソナルコンピュータ等を使用して電話帳の個人情報を容易に管理することができる。
【０１１８】
また、本実施形態によれば、携帯電話端末を紛失したり、携帯電話端末が盗難された場合であっても、例えばオーセンティケーションセンタ内部のデータ操作により、上記紛失或いは盗難された携帯電話端末を使用不能にすることができ、また、電話帳等の個人情報のデータはネットワーク側で管理されているため、例えばＩＭＳＩの新規発行の依頼と共に、ＩＭＳＩと個人情報との関連付けをオーセンティケーションセンタ内部のデータ操作で変更してもらうことにより、ユーザは、新たに入手した携帯電話端末を同じ電話番号で直ぐに使用可能となる。
【０１１９】
その他、本実施形態によれば、情報管理サーバに記憶しておく個人情報等のデータは、暗号化されたデータであっても良い。特に暗号化されたデータを記憶させておけば、高いセキュリティ性を保持することができるようになる。
【０１２０】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１２１】
本実施形態の携帯情報端末は、携帯電話端末に限定されず、各種個人情報を記憶する機能を備えると共に加入者情報を記録したＩＣカードを装着可能となされた例えばＰＤＡ（Personal Digital Assistant）等の各種の携帯情報端末にも適用可能である。
【図面の簡単な説明】
【０１２２】
【図１】本発明実施形態の情報共有システムの概略的な全体構成図である。
【図２】本発明実施形態にかかるＳＩＭカードを装填可能となされた携帯電話端末の概略的な内部回路構成を示すブロック図である。
【図３】ＳＩＭカードに記憶されているＩＭＳＩの基本的なデータ構造を示す図である。
【図４】一般的な従来のＩＭＳＩと加入者情報との関連説明に用いる図である。
【図５】本実施形態の情報管理サーバに記憶される個人情報（例えば電話帳）と一つのＩＭＳＩとの関連説明に用いる図である。
【図６】本実施形態の情報管理サーバに記憶される個人情報（例えば電話帳）と二つのＩＭＳＩとの関連説明に用いる図である。
【図７】携帯電話端末（ＳＩＭ）とオーセンティケーションセンタ（情報管理サーバ）における暗号キー生成の説明に用いる図である。
【図８】携帯電話端末（ＳＩＭ）とオーセンティケーションセンタ（情報管理サーバ）における暗号化と復号化の説明に用いる図である。
【図９】本実施形態の携帯電話端末にて行われる個人情報の更新チェック、個人情報のアップロード、ダウンロードの処理の流れを示すフローチャートである。
【図１０】本実施形態の情報管理サーバにて行われる個人情報の更新チェック、個人情報のアップロード、ダウンロードの処理の流れを示すフローチャートである。
【符号の説明】
【０１２３】
１，２  携帯電話基地局、３，４  携帯電話端末、３ａ，４ａ，５４  ＳＩＭカード、５，７  エアインターフェース、６  デジタルインターフェース、８  ＰＳＴＮ局、９  オーセンティケーションセンタ、１１  インターネットゲートウェイ、１２  インターネット、１３  パーソナルコンピュータ、２１  アンテナ、２２  セレクタ、２３  受信ＲＦ部、２４  受信側のミキサ、２５  受信ＩＦ部、２６  受信復調部、２７  音声復号部、２８  スピーカアンプ、２９  スピーカ、３０  通信データ復号部、３１  局部発振器、３２  送信ＲＦ部、３３  送信側のミキサ、３４  送信ＩＦ部、３５  送信変調部、３６  音声符号化部、３７  マイクロホンアンプ、３８  マイクロホン、３９  通信データ符号化部、４０  Ｉ／Ｏ（インプット／アウトプット）部、４１  ＲＯＭ、４２  ＲＡＭ、４３  ＥＥＰＲＯＭ、４４  ＣＰＵ、４５  ＲＴＣ、５０  ディスプレイ、５１  キーボード、５２  データＩ／Ｆ（インターフェース）、５３  ＳＩＭ  Ｉ／Ｆ（インターフェース）
【図１】
0004842631.tif 000002
【図２】
0004842631.tif 000003
【図３】
0004842631.tif 000004
【図４】
0004842631.tif 000005
【図５】
0004842631.tif 000006
【図６】
0004842631.tif 000007
【図７】
0004842631.tif 000008
【図８】
0004842631.tif 000009
【図９】
0004842631.tif 000010
【図１０】
0004842631.tif 000011